(57)【要約】【課題】段ボールシートの製造工程において走行するシート材の幅方向の位置を精密に調整することができ、シート材との接触による摩耗によって調整の精度が低下することがないシート材の位置調整装置を提供する。【解決手段】位置調整装置１は、長尺で断面が円弧状の一対の湾曲板１０と、一対の湾曲板を、間隔をあけて平行に、且つ、それぞれの湾曲面を外方に向けた状態で支持する支持部２０と、支持部を介して、一対の湾曲板を設置面より高い位置に支持する架台４０と、架台に対して支持部を変位させ、一対の湾曲板の間に位置する仮想点を中心として、一対の湾曲板を回動させる回動支持部３０とを具備し、湾曲板は支持部に対して着脱可能である。【選択図】図１
2013212903.tif 000002
【特許請求の範囲】
【請求項１】
長尺で断面が円弧状の一対の湾曲板と、
一対の該湾曲板を、間隔をあけて平行に、且つ、それぞれの湾曲面を外方に向けた状態で支持する支持部と、
該支持部を介して、一対の前記湾曲板を設置面より高い位置に支持する架台と、
該架台に対して前記支持部を変位させ、一対の前記湾曲板の間に位置する仮想点を中心として、一対の前記湾曲板を回動させる回動支持部とを具備し、
前記湾曲板は、前記支持部に対して着脱可能である
ことを特徴とするシート材の位置調整装置。
【請求項２】
前記支持部は、前記架台を構成する一対の平行な架材のそれぞれと対面する一対の平行なベース板と、一対の該ベース板の同一方向の端部にそれぞれ連結される一対の平行な長尺バーとを備えており、
一対の前記湾曲板のそれぞれは、一対の前記長尺バーのそれぞれに対して着脱可能に取り付けられている
ことを特徴とする請求項１に記載のシート材の位置調整装置。
【請求項３】
前記回動支持部は、前記仮想点を中心とする円の一部である円弧状を呈するレールと、該レールに沿って摺動するスライダとを備えており、
前記ベース板及び前記架台の一方に前記レールが取り付けられ、他方に前記スライダが取り付けられている
ことを特徴とする請求項２に記載のシート材の位置調整装置。
【請求項４】
請求項１乃至請求項３の何れか一つに記載のシート材の位置調整装置を使用してシート材の幅方向の位置を調整するシート材の位置調整方法であって、
シート材を一対の前記湾曲板の一方の前記湾曲面に接触させ、一対の前記湾曲板の間の空間を通過させた上で、一対の前記湾曲板の他方の前記湾曲面に接触させて走行させ、
前記回動支持部の動作により、前記仮想点を中心として一対の前記湾曲板を回動させることにより、シート材を幅方向に変位させ、
摩耗した前記湾曲板は、前記支持部から取り外し新品の前記湾曲板と交換する
ことを特徴とするシート材の位置調整方法。
【発明の詳細な説明】
【技術分野】
【０００１】
本発明は、段ボールシートの製造ラインにおいて、走行するシート材の幅方向の位置を調整するシート材の位置調整装置、及び、該シート材の位置調整装置を使用してシート材の幅方向の位置を調整するシート材の位置調整方法に関するものである。
【背景技術】
【０００２】
段ボールシートは、一般的にコルゲータと称される装置で製造される。コルゲータでは、シングルフェーサにおいて、波形に成形された中芯と裏ライナとの貼合により片面段ボールシートが製造され、ダブルフェーサにおいて、片面段ボールシートと表ライナとの貼合、または複数の片面段ボールシートと表ライナの貼合が行われ、両面段ボールシート、複両面段ボールシート等の段ボールシートが製造される。製造された段ボールシートは、スリッタスコアラにおいて走行方向と平行に罫線入れ及び溝切りが行われた後、所定の長さで流れ方向と直交する方向に裁断される。
【０００３】
上記の工程は、中芯、ライナ、片面段ボールシート、両面段ボールシート等のシート材を走行させながら行われるが、シート材が走行する位置が幅方向（走行方向と直交する方向）にずれることにより、不具合が生じることがある。例えば、貼合前のシート材が幅方向にずれると、貼合されたシート材同士で幅方向の端辺が不揃いとなることがある。一般的に、段ボールシートの幅方向の寸法精度を確保するために、両端を化粧断ちするための落し代が予め設定されているが、端辺における不揃い幅が落し代を超えると、その部分の段ボールシートは廃棄対象となり大きな無駄となる。また、スリッタスコアラの上流でシート材が幅方向にずれていると、ずれた位置で罫線入れや溝切りが行われることになり、製造された段ボールブランクの寸法が不正確となる。
【０００４】
そこで、シート材が走行する幅方向の位置を調整する装置が種々提案されている。本出願人は過去に、図６に示すように、回転する一対のロール１０１，１０２が平行に所定間隔をあけて配置されると共に、異なる高さに支持された位置調整装置１００を提案している（特許文献１参照）。この装置では、図６（ａ）に示すように、走行するシート材Ｓを、一方のロール１０１に外側から周回するように巻き掛けた上で、ロール１０１，１０２間の間隙を通し、更に他方のロール１０２に、ロール１０１に巻き掛けたときとは反対方向に周回するように巻き掛ける。
【０００５】
これにより、図６（ｂ）に示すように、ロール１０１，１０２の軸方向がシート材の走行方向（図示、矢印）に直交しているとき、ロール１０１，１０２を通過した後のシート材Ｓの幅方向の端辺の位置は、鎖線で図示するように、ロール１０１，１０２を通過する前と変わらない。一方、ロール１０１，１０２間の位置関係を維持したまま、ロール１０１，１０２の軸方向をシート材Ｓの走行方向に直交する方向から傾けると、シート材Ｓはロール１０１，１０２を通過する前後で幅方向に変位する。そして、その変位量Ｌはロール１０１，１０２の軸方向を傾ける角度によって調整することができる。
【０００６】
また、それ以前の技術では、図７に示すように、上流側の固定ロール２０１と下流側の固定ロール２０４が平行に配された間に、一対の可動ロール２０２，２０３が平行かつ同じ高さに配されており、可動ロール２０２，２０３に同じ方向からシート材Ｓが巻き掛けられる位置調整装置２００が使用されていた。この装置は、可動ロール２０２，２０３をシート材Ｓの走行方向に対して傾けることにより、幅方向の位置を調整するものであるが、固定ロール２０１と可動ロール２０２、及び、可動ロール２０３と固定ロール２０４との間でシート材がねじれる。これに対し、本出願人の提案による上記の位置調整装置１００では、ロール１０１，１０２に巻き掛けられる前後でシート材Ｓがねじれることがないため、シート材Ｓに無理な力が作用しないという利点を有している。
【０００７】
ところが、位置調整装置１００では、回転するロール１０１，１０２の軸方向を傾けた際に、ロール１０１，１０２の回転方向とシート材Ｓの走行方向が一致しない。すなわち、ロール１０１から送り出されるシート材Ｓ、及び、ロール１０２に送り込まれるシート材Ｓの走行方向はロール１０１，１０２それぞれの回転方向と一致するが、ロール１０１に送り込まれるシート材Ｓ、及びロール１０２から送り出されるシート材Ｓの走行方向はロール１０１，１０２の回転方向と一致しない。そのため、回転するロール１０１，１０２からシート材Ｓに働く力によって、シート材Ｓの走行方向が影響を受け、シート材Ｓの幅方向の位置を精密に調整することが困難となるおそれがあった。
【０００８】
そこで、本出願人は更に、回転しない一対の円柱状のバーを使用した位置調整装置を提案している（特許文献２参照）。これは、回転しない第一バー及び第二バーが、平行かつ異なる高さに支持されており、第一バーと第二バーとの間の仮想点を中心点として第一バー及び第二バーを回転させるものである。この位置調整装置によれば、特許文献１の位置調整装置１００とは異なり、シート材の走行方向がロールの回転方向によって影響を受けるという問題を有してないため、第一バー及び第二バーの軸方向を傾ける角度と、シート材の幅方向への変位量との相関性が高く、シート材の幅方向の位置を精密に制御することができる。
【０００９】
しかしながら、回転しないバーは、巻き掛けられたシート材との接触抵抗が高いため、バーの摩耗が激しい。そして、バーの摩耗は、周面において不均一に進行する。そのため、バーの摩耗が進むと、シート材の幅方向の位置を精密に制御することが困難となるという問題があった。
【発明の概要】
【発明が解決しようとする課題】
【００１０】
そこで、本発明は、上記の実情に鑑み、段ボールシートの製造ラインにおいて走行するシート材の幅方向の位置を精密に調整することができ、シート材との接触による摩耗によって調整の精度が低下することがないシート材の位置調整装置、及び、該シート材の位置調整装置を使用してシート材の幅方向の位置を調整するシート材の位置調整方法の提供を、課題とするものである。
【課題を解決するための手段】
【００１１】
上記の課題を解決するため、本発明にかかるシート材の位置調整装置（以下、単に「位置調整装置」と称することがある）は、
「長尺で断面が円弧状の一対の湾曲板と、
一対の該湾曲板を、間隔をあけて平行に、且つ、それぞれの湾曲面を外方に向けた状態で支持する支持部と、
該支持部を介して、一対の前記湾曲板を設置面より高い位置に支持する架台と、
該架台に対して前記支持部を変位させ、一対の前記湾曲板の間に位置する仮想点を中心として、一対の前記湾曲板を回動させる回動支持部とを具備し、
前記湾曲板は、前記支持部に対して着脱可能である」ものである。
【００１２】
「シート材」は、表ライナ、裏ライナ、波形に成形された中芯、片面段ボールシート等、湾曲板に沿って湾曲させられるシート材を指している。
【００１３】
上記構成によれば、シート材を一対の湾曲板の一方の湾曲面に接触させ、一対の湾曲板の間の空間を通過させた上で、一対の湾曲板の他方の湾曲面に接触させて走行させた状態で、回動支持部を動作させ、一対の湾曲板の間に位置する仮想点を中心として一対の湾曲板を回動させることにより、シート材の幅方向の位置を調整することができる。また、湾曲板は、回転するロールとは異なりシート材に回転力を与えないため、仮想点を中心として回動する角度とシート材の幅方向の変位量との相関性が高く、シート材の幅方向の位置を精密に調整することができる。
【００１４】
加えて、一対の湾曲板の回動中心は、一対の湾曲板の間に位置する。そのため、一対の湾曲板の外側に回動中心がある場合に比べて、回動運動の径が小さく、同一角度回動した場合の幅方向の変位量が小さい。従って、このことからも、シート材の幅方向の位置を精密に調整でき、且つ、装置全体を小型化することができる。
【００１５】
ここで、湾曲板は、回転するロールに比べて、シート材との接触抵抗が高いため、シート材との接触による摩耗が激しい。そこで、本発明では、湾曲板を支持部に対して着脱可能な構成としている。これにより、摩耗した湾曲板は支持部から取り外し、新しい湾曲板と容易に交換することができるため、湾曲板の摩耗によって、シート材の幅方向の位置調整の精度が低下するおそれを回避することができる。
【００１６】
なお、湾曲板を支持部に対して着脱可能とする構成としては、湾曲板の裏面から係合片を突出させると共に、支持部にも係合片を突設し、双方の係合片に穿設した孔に挿通したボルトをナットで留め付ける構成、湾曲板の裏面から突出させた部材を、支持部に設けたクリップで挟着する構成、を例示することができる。
【００１７】
また、湾曲板は、従来技術で使用されていた回転ロールや円柱状のバーに比べて、軽量であり、製造のために使用される原材料が少ない。従って、新品と交換することにより、摩耗した湾曲板を廃棄対象とするとしても、資源として無駄が少ないという利点がある。そして、従来技術では、シート材を巻き掛ける部材として、回転ロールや円柱状バーという断面円形の構成を採用していたところ、断面円弧状の部材で十分にシート材の位置を調整することができることに着眼したところにも、本発明の特徴がある。
【００１８】
本発明にかかるシート材の位置調整装置は、上記構成において、
「前記支持部は、前記架台を構成する一対の平行な架材のそれぞれと対面する一対の平行なベース板と、一対の該ベース板の同一方向の端部にそれぞれ連結される一対の平行な長尺バーとを備え、
一対の前記湾曲板のそれぞれは、一対の前記長尺バーのそれぞれに対して着脱可能に取り付けられている」ものとすることができる。
【００１９】
本構成により、支持部は、一対の湾曲板を間隔をあけて平行に支持する。
【００２０】
本発明にかかるシート材の位置調整装置は、上記構成において、
「前記回動支持部は、前記仮想点を中心とする円の一部である円弧状を呈するレールと、該レールに沿って摺動するスライダとを備え、
前記ベース板及び前記架台の一方に前記レールが取り付けられ、他方に前記スライダが取り付けられている」ものとすることができる。
【００２１】
回動支持部が本構成であることにより、架台に対して支持部を変位させ、一対の湾曲板の間に位置する仮想点を中心として一対の湾曲板を回動させることが可能となる。また、回動支持部として、一対の湾曲板の間に位置する仮想点を中心とする円の一部である円弧状のレールと、これに沿って摺動するスライダを採用したことにより、実在の回転軸を設けることなく、一対の湾曲板を回動させることができる。
【００２２】
次に、本発明にかかるシート材の位置調整方法は、
「上記に記載のシート材の位置調整装置を使用してシート材の幅方向の位置を調整するシート材の位置調整方法であって、
シート材を一対の前記湾曲板の一方の前記湾曲面に接触させ、一対の前記湾曲板の間の空間を通過させた上で、一対の前記湾曲板の他方の前記湾曲面に接触させて走行させ、
前記回動支持部の動作により、前記仮想点を中心として一対の前記湾曲板を回動させることにより、シート材を幅方向に変位させ、
摩耗した前記湾曲板は、前記支持部から取り外し新品の前記湾曲板と交換する」ものである。
【００２３】
これは、上述した構成の位置調整装置を使用して行うシート材の位置調整方法であり、既に述べたように、シート材に回転力を付与することないため、一対の湾曲板を回動させる角度とシート材が幅方向の変位量との相関性が高く、シート材の幅方向の位置を精密に調整することができる。また、摩耗した湾曲板は支持部から取り外して新品と交換して使用する方法であるため、湾曲板の摩耗に伴いシート材の位置調整の精度が低下するおそれを回避することができる。
【発明の効果】
【００２４】
以上のように、本発明の効果として、段ボールシートの製造工程において走行するシート材の幅方向の位置を調整することができ、シート材との接触による摩耗によって調整の精度が低下することがないシート材の位置調整装置、及び、該シート材の位置調整装置を使用してシート材の幅方向の位置を調整するシート材の位置調整方法を提供することができる。
【図面の簡単な説明】
【００２５】
【図１】本発明の一実施形態のシート材の位置調整装置の斜視図（架台の一部切り欠き）である。
【図２】図１のシート材の位置調整装置のＡ−Ａ線断面図（縦架材を省略）である。
【図３】図１のシート材の位置調整装置における位置調整を説明する（ａ）一対の湾曲板を回動させる前、（ｂ）一対の湾曲板を回動させた後のＡ−Ａ線断面図（縦架材を省略）である。
【図４】図１のシート材の位置調整装置の側面図（架台を省略）である。
【図５】図１のシート材の位置調整装置における湾曲板の着脱の説明図である。
【図６】特許文献１の位置調整装置による位置調整の原理を説明する図である。
【図７】従来の位置調整装置による位置調整の原理を説明する図である。
【発明を実施するための形態】
【００２６】
以下、本発明の一実施形態であるシート材の位置調整装置１（以下、単に「位置調整装置１」と称する）について、図１乃至図５に基づいて説明する。なお、構成を明示するため、図１では架台の一部を切り欠いて図示しており、図２及び図３では縦架材を省略して図示しており、図４では架台を省略して図示している。
【００２７】
主に図１，２に示すように、位置調整装置１は、長尺で断面が円弧状の一対の湾曲板１０と、一対の湾曲板１０を、間隔をあけて平行に、且つ、それぞれの湾曲面を外方に向けた状態で支持する支持部２０と、支持部２０を介して、一対の湾曲板１０を設置面より高い位置に支持する架台４０と、架台４０に対して支持部２０を変位させ、一対の湾曲板１０の間に位置する仮想点Ｐを中心として、一対の湾曲板１０を回動させる回動支持部３０とを具備し、湾曲板１０は、支持部２０に対して着脱可能とされている。
【００２８】
また、上記構成において、支持部２０は、架台４０を構成する一対の平行な縦架材４２のそれぞれと対面する一対の平行なベース板２１と、一対のベース板２１の同一方向の端部にそれぞれ連結された一対の平行な長尺バー２２とを備えており、一対の湾曲板１０のそれぞれは、一対の長尺バー２２のそれぞれに対して着脱可能に取り付けられている。更に、回動支持部３０は、仮想点Ｐを中心とする円の一部である円弧状を呈するレール３１と、レール３１に沿って摺動するスライダ３２とを備えており、縦架材４２にレール３１が取り付けられていると共に、ベース板２１にスライダ３２が取り付けられている。
【００２９】
より詳細に説明すると、架台４０は、設置面に立設させる複数の支柱４１と、支柱４１間を横架する複数の横架材４３とを備えた、略直方体の枠体である。架台４０において対向する一対の枠面では、それぞれ上下の横架材４３間に縦架材４２が垂直に架け渡されている。なお、この縦架材４２が、本発明の「架材」に相当する。
【００３０】
一方、支持部２０において、一対のベース板２１はそれぞれ長い平板状であり、一対の長尺バー２２は、それぞれ円形のパイプで形成されている。一対の長尺バー２２の一方の両端部は、一対のベース板２１の同一方向の端部からそれぞれ外方向に向けて直角に、所定長さ突出した一対の連結バー２３を介して、一対のベース板２１に連結されている。また、一対の長尺バー２２の他方の両端部は、一対のベース板２１の他端部からそれぞれ外方向に向けて直角に、所定長さ突出した一対の連結バー２３を介して、一対のベース板２１に連結されている。すなわち、一対の長尺バー２２は、相反する方向に連結バー２３の長さ分、ベース板２１から突出している。
【００３１】
長尺バー２２の外周面からは、図５に示すように、複数の平板状の係合片４４が法線方向に突設されており、それぞれの係合片４４には貫通孔４６が穿設されている。一方、湾曲板１０の裏面からも、係合片４４と同一間隔で、複数の平板状の係合片４７が突設されており、それぞれの係合片４７には貫通孔４５が穿設されている。従って、係合片４７及び係合片４４を、それぞれの貫通孔４５，４６が連通するように重ね合わせ、貫通孔４５，４６に挿通したボルト（図示しない）をナットで留め付けることにより、湾曲板１０を長尺バー２２に対して着脱可能に取り付けることができる。そして、一対の長尺バー２２にそれぞれ取り付けられた一対の湾曲板１０の間には、ベース板２１の長さ、及び、連結バー２３の長さに応じた間隔で空間が形成される。
【００３２】
架台４０において一対の縦架材４２には、対向する面と隣接する同一方向の面に、それぞれ円弧状のレール３１が取り付けられている。この一対のレール３１が呈する円弧は、同一円の円弧であり、その円の中心点Ｐが本発明の「仮想点」に相当する。そして、支持部２０において一対のベース板２１には、同一方向の面に、レール３１に沿って摺動するスライダ３２が、それぞれ二つ取り付けられている。かかる構成により、ベース板２１は、スライダ３２が取り付けられた面で縦架材４２と対面するように架台４０に支持され、湾曲板１０は、ベース板２１、連結バー２３、及び長尺バー２２を介して、架台４０に支持される。そして、レール３１に沿ってスライダ３２を摺動させると、一対のベース板２１が平行な状態を維持したまま点Ｐを中心として回動し、これに伴い、一対の湾曲板１０が平行な状態を維持したまま点Ｐを中心として回動する。
【００３３】
また、架台４０には、一対の湾曲板１０の回動運動を駆動する駆動装置として、エアまたは油圧で作動するシリンダ装置３３が取り付けられている。このシリンダ装置３３のシリンダ部側は、一対の縦架材４２の一方に突設された取付片５２に、軸５６周りに回転自在に軸支されている。そして、シリンダ装置３３のピストンロッドの先端は、ベース板２１に突設された取付片５１に、軸５５周りに回転自在に軸支されている。かかる構成により、シリンダ装置３３のピストンロッドが前進すると、レール３１に沿ってスライダ３２を摺動させながら一対のベース板２１が回動し、これに伴い一対の湾曲板１０が回動する。逆に、ピストンロッドが後退すると、レール３１に沿ってスライダ３２を摺動させながら一対のベース板２１が反対周りに回動し、これに伴い一対の湾曲板１０が反対周りに回動する。なお、レール３１、スライダ３２、及び、シリンダ装置３３が、本発明の「回動支持部３０」に相当する。
【００３４】
上記構成の位置調整装置１を使用する際は、図１，４に示すように、シート材Ｓを一対の湾曲板１０の一方の湾曲面に接触させ、一対の湾曲板１０の間の空間を通過させた上で、他方の湾曲板１０の湾曲面に接触させて走行させる。なお、本実施形態は、一対の湾曲板１０のうち、下方の湾曲板１０を上流側として使用する例であり、上流から走行してきたシート材Ｓの方向を湾曲板１０の方向に案内する案内ローラ６１が、架台４０の支柱４１間に架け渡された軸周りに回転自在に取り付けられている。また、位置調整装置１の構成ではないが、下流側の湾曲板１０の湾曲面に沿って走行した後のシート材Ｓの走行方向を変える案内ローラ６２が、位置調整装置１の上方に配される（図４参照）。
【００３５】
図３（ａ）に示すように、長尺の湾曲板１０の軸方向がシート材Ｓの走行方向と直交している状態では、位置調整装置１を通過する前後で、シート材Ｓは幅方向に変位しない。一方、図３（ｂ）に示すように、シリンダ装置３３を作動させピストンロッドを前進または後退させると（図では、後退させる場合を例示）、シリンダ装置３３は軸５５，５６周りに回動しつつ取付片５１を介してベース板２１を移動させる。これに伴い、スライダ３２をレール３１に沿って摺動させながら、一対のベース板２１が点Ｐを中心に所定角度回動する。これに伴って、連結バー２３及び長尺バー２２を介してベース板２１に連結された一対の湾曲板１０が、点Ｐを中心に所定角度回動する。これにより、湾曲板１０の湾曲面に接触しているシート材Ｓの走行方向は、位置調整装置１を通過する前後で幅方向に変位する。シート材Ｓの幅方向の変位量は、一対の湾曲板１０の回動角度によって変化するため、ピストンロッドを前進または後退させる長さによって調整することができる。
【００３６】
例えば、貼合されたシート材の端辺のずれを定量的に検出する検出装置から送出される信号を、コンピュータやプログラマブルコントローラ等の制御装置で受け、予め設定されたプログラムによる制御によってシリンダ装置３３を作動させ、ピストンロッドを動作させる長さを調整することができる。ここで、シート材の端辺のずれを検出する検出装置としては、例えば、シート材の端辺の近傍を撮影するカメラと、カメラによる撮像を画像解析するプログラムを備えたコンピュータを備えたものを使用することができる。
【００３７】
使用によって湾曲板１０が摩耗した場合は、係合片４４と係合片４７を留め付けているボルト及びナットの螺合を解除して、湾曲板１０を長尺バー２２から取り外し、新品の湾曲板１０を同様の方法で長尺バー２２に取り付けることができる。
【００３８】
上記のように、本実施形態の位置調整装置１によれば、シート材に回転力を付与することなく、幅方向の位置を精密に調整することができる。また、一対の湾曲板１０の回動の中心点Ｐが一対の湾曲板１０の間に位置するため、一対の湾曲板１０の外側に回動中心がある場合に比べて回動運動の径が小さい。このことからもシート材の幅方向の位置を精密に調整でき、且つ、装置全体を小型化することができる。
【００３９】
加えて、摩耗した湾曲板１０は支持部２０から取り外し、新しい湾曲板１０と容易に交換することができるため、湾曲板１０の摩耗によって、シート材の幅方向の位置調整の精度が低下するおそれを回避することができる。そして、湾曲板１０は、回転ロールや円柱状のバーに比べて少量の原材料で製造されるため、新品と交換することにより摩耗した湾曲板１０を廃棄対象とするとしても、資源としての無駄が少ないという利点がある。
【００４０】
以上、本発明について好適な実施形態を挙げて説明したが、本発明は上記の実施形態に限定されるものではなく、以下に示すように、本発明の要旨を逸脱しない範囲において、種々の改良及び設計の変更が可能である。
【００４１】
例えば、上記では、ベース板２１を架台４０の縦架材４２に対面させる場合を例示したが、これに限定されず、ベース板２１を架台４０の横架材４３に対面させる構成とすることもできる。
【００４２】
また、上記では、レール３１が架台４０側に、スライダ３２が支持部２０側に取り付けられる場合を例示したが、これとは逆に、レール３１が支持部２０側に取り付けられ、スライダ３２が架台４０側に取り付けられる構成であっても、同様に架台４０に対して支持部２０を変位させることができる。
【００４３】
なお、湾曲板１０の湾曲面には、シート材との接触抵抗を低減するために、フッ素樹脂など摩擦係数の小さい材料をコーティングすることができる。或いは、シート材との接触面積を小さくするために、湾曲板１０の湾曲面にエンボス加工を施すことができる。
【符号の説明】
【００４４】
１  位置調整装置
１０  湾曲板
２０  支持部
２１  ベース板（支持部）
２２  長尺バー（支持部）
３０  回動支持部
３１  レール（回動支持部）
３２  スライダ（回動支持部）
４０  架台
４２  縦架材（架材）
Ｐ  仮想点
Ｓ  シート材
【先行技術文献】
【特許文献】
【００４５】
【特許文献１】特開２００７−２６１２４５号公報
【特許文献２】特開２０１１−２４１０１０号公報
【図１】
2013212903.tif 000003
【図２】
2013212903.tif 000004
【図３】
2013212903.tif 000005
【図４】
2013212903.tif 000006
【図５】
2013212903.tif 000007
【図６】
2013212903.tif 000008
【図７】
2013212903.tif 000009